【事件の表示】
　特願２０１２−２０１０９７号「洗濯物の型崩れ防止用洗濯補助具」拒絶査定不服審判事件について、次のとおり審決する。
【結　論】
　本件審判の請求は、成り立たない。
【理　由】
１．手続の経緯
　本願は、平成２４年９月１３日の出願であって、平成２５年１月２３日付けで拒絶査定がなされ、これに対して、平成２５年３月１１日付けで拒絶査定不服審判の請求がなされたものである。
　その後、当審において、平成２５年４月４日付けで拒絶理由が通知され、これに対して、平成２５年６月７日付けで意見書が提出されるとともに、同日付けで手続補正がなされたものである。
　
２．本願発明
　本願の特許請求の範囲の請求項１〜２に係る発明は、平成２５年６月７日付け手続補正により補正された明細書、特許請求の範囲及び図面の記載からみて、その特許請求の範囲の請求項１〜２に記載されたとおりのものであると認められるところ、請求項１に係る発明（以下「本願発明」という。）は、以下のとおりである。
「洗濯物を洗濯機で洗濯、脱水、乾燥する際に洗濯物に型崩れやしわが発生するのを防ぐため洗濯物を一定姿勢に保持する洗濯物の型崩れ防止用洗濯補助具であって、
　洗濯物をその周囲に巻き付ける被巻付け具と、洗濯物を巻き付けた被巻付け具全体を覆うネットとから構成され、
　前記被巻付け具は合成樹脂、発泡ゴム、ウレタンの何れかを用いて肉厚の薄い円筒状に形成し、その側壁全面には小径の丸穴貫通孔が網目状に形成されており、
　前記ネットは伸縮性の高い素材にて前記被巻付け具に巻き付けた洗濯物を被巻付け具に締めつけできる大きさの円筒状に形成し、円筒状両端部には開口部を開閉する口紐が取り付けてあることを特徴とする洗濯物の型崩れ防止用洗濯補助具。」
　
３．引用例
　これに対して、当審で通知した拒絶理由に引用された本願出願前に頒布された刊行物である特開２００６−２３０９８１号公報（以下「引用例１」という。）、特開２０００−３１２７９６号公報（以下「引用例２」という。）、実願昭６１−８８１４９号（実開昭６２−１９９０７６号）のマイクロフィルム（以下「引用例３」という。）及び実公昭３５−２３０８０号公報（以下「引用例４」という。）には、それぞれ以下の各事項が記載されている。
　
［引用例１について］
（１ａ）「【請求項１】
筒に多数の穴を開けた型崩れしわ防止用洗濯補助具。
【請求項２】
平面状のネットに請求項１の筒を取り付けた型崩れしわ防止用穴あき筒つき洗濯ネット。」
　
（１ｂ）「【０００４】
洗濯機内で洗濯物がよじれる事により型崩れが起きるし、脱水時にしわが出来取れにくい。多数の穴の開いた筒に平面状のネットを取り付けその上に洗濯する物を広げて置き、筒の幅に合わせて洗濯する製品とネットを一緒にたたむ。その状態で穴の開いた筒に巻きつけ最後に両端をしっかり留める。洗いから脱水までの間、洗濯物がネットと共に筒に固定されているためよじれることなく型崩れもしわも防止できる。
筒には多数の穴を開けているため筒に巻きつけた洗濯物の外側からも内側からも洗える。」
　
（１ｃ）「【０００５】
　本発明は筒に多数の穴が開いているため、巻きつけた洗濯物の外側からも内側からも水の流れが出来よく洗える。洗濯機内でも洗濯物が穴の開いた筒に固定されているためよじれなどもなく型崩れやしわを防止できニット製品も綿製品もすっきり洗濯できる。」
　
（１ｄ）「【０００６】
  以下、本発明の実施の形態を説明する。
（イ）耐久性のあるプラスチックなどの適性材料で筒を作る。
（ロ）筒に多数の穴をあける。
（ハ）筒を筒の幅の約倍くらいの平面状のネットの端の中央に取り付ける。
（ニ）ネットの筒を取り付けた反対側にゴムなど適性材料で洗濯物を固定する物を付ける本発明は、以上の構成よりなっている。
本発明を使用するときは、洗濯する製品をネットの上に広げ〈図３〉、ネットと一緒に筒の幅にたたむ〈図４〉。その状態で多数の穴のあいた型崩れしわ防止用洗濯補助具に巻きつける。最後に長さが調節できるゴムなどでしっかり留める。」
　
（１ｅ）図２
　上記図２には、多数の穴は、丸穴であり、筒の側壁全面に形成されていることが示されている。
　
　以上の記載によると、引用例１には、
「平面状のネットに筒に多数の穴を開けた型崩れしわ防止用洗濯補助具を取り付けた筒つき洗濯ネットであって、
　上記筒は、耐久性のあるプラスチックなどの適性材料で作られ、
　上記多数の穴は、丸穴であり、筒の側壁全面に形成され、筒に多数の穴が開いているため、巻きつけた洗濯物の外側からも内側からも水の流れが出来、
　洗濯物がネットと一緒に型崩れしわ防止用洗濯補助具に巻きつけられる筒つき洗濯ネット。」の発明（以下「引用発明」という。）が記載されていると認められる。
　
［引用例２について］
（２ａ）「【請求項１】  被洗濯衣類の胴部内側に沿った形状を有しており、少なくとも二つ折り可能な板状の内挿材と、表面網地部材と裏面網地部材の周縁部を接合して形成され、前記内挿材を内挿した被洗濯衣類を覆って収容する洗濯ネットと、前記被洗濯衣類を収容した洗濯ネットを前記内挿材と共に折り畳んだ状態に保持する止着手段とからなり、かつ前記折り畳んだ被洗濯衣類に挟まれる前記裏面網地部材は、立体ネット構造を有する洗濯補助具。」
　
（２ｂ）「【００１２】洗濯ネット１７は、図２（ｂ）に示すように、通液性を有する網地を長方形に裁断し、裁断端部をほつれ防止のためのバイヤステープで補強した表面網地部材１４及び裏面網地部材１５の周縁部１６を、縫製や熱溶着等によって互いに接合することにより扁平な袋状に形成され、平坦に拡げて整えたジャケット１１をそのままの状態で収容しうる大きさを備えている。・・・」
　
（２ｃ）「【００２３】なお、本発明は上記実施形態に限定されることなく種々の変更が可能である。・・・また、ジャケットに限定されることなく、セーター、ズボン、スカート、コ−ト、着物等、胴部を有する他の衣類を洗濯する際にも使用できる。さらに、内挿材は必ずしも通液性を有するものである必要はなく、止着手段はファスナーに限定されることなく公知の種々の止着手段を採用することができる。・・・」
　
［引用例３について］
（３ａ）「（１）　格子状または穴あき状の、ブラジャーのカップの形状に合わせた２つの椀形を組み合わせた支持体１と、支持体１にブラジャーのカップの部分を合わせて装着し、ベルトや吊り紐等のカップ以外の部分を支持体１の椀形の内側に入れて、その上からかぶせて締めつけるネット２からなるブラジャー洗濯用器具」（実用新案登録請求の範囲参照）
　
（３ｂ）「ネット２は伸縮性のものを使ってもよく、ファスナー等によって締めつけてもよい。」（第３頁３〜４行参照）
　
［引用例４について］
（４ａ）「即ち本考案は上記の通りの構造及び作用であつて主として廃物網を使用して無端状の袋胴１を形成し伸縮自在な口紐２，２口３，３を形成した為に袋は廃物利用で安価に製作し得られ口３，３は自動的に開閉して被洗濯物を袋内に出入易く一旦被洗濯物を袋に収容すれば口３，３を他動的に開いて取出す迄収蔵して自動的に脱離しない・・・」（第１頁右欄１〜７行参照）
　
（４ｂ）「説明書に記載し図面に示すとおり廃物網片を無端状に継合せた袋胴１の両端部にゴム等の伸縮自在な口紐２，２を取着けた口３，３を設けた洗濯袋の構造。」（登録請求の範囲参照）
　
４．対比
　本願発明と引用発明とを対比すると、
　引用発明の「筒つき洗濯ネット」は、本願発明の「洗濯物の型崩れ防止用洗濯補助具」に相当し、
　引用発明の「型崩れしわ防止用洗濯補助具」は、洗濯物が巻きつけられるのであるから、本願発明の洗濯物をその周囲に巻き付ける「被巻付け具」に相当し、引用発明の「筒」は、「筒」とは「円く細長くて中空になっているもの。」（広辞苑第六版）を意味することから、本願発明でいう「円筒状」といえ、引用発明の「プラスチック」は、本願発明の「合成樹脂」に相当し、
　引用発明の「平面状のネット」は、洗濯物と一緒に型崩れしわ防止用洗濯補助具に巻きつけられるものであるから、引用発明の「平面状のネット」と本願発明の「洗濯物を巻き付けた被巻付け具全体を覆うネット」とは、「被巻付け具を覆うネット」である限りにおいては一致し、
　引用発明の筒に開けた「多数の穴」は、多数あることから筒との比較において「小径」といえ、水の流れが出来ることから「貫通」しているといえ、また、引用例１の図２に記載された「穴」の配列は、本願の図１の「丸穴貫通孔４」の配列と変わりはないことより、本願発明でいう「網目状に形成されて」いるといえ、
　引用発明の「筒つき洗濯ネット」は、洗いから脱水までの間、洗濯物がネットと共に筒に固定されているためよじれることなく型崩れもしわも防止できるものであり、乾燥する際の特定はないが、全自動洗濯機において乾燥機能を備えるものも多く、その乾燥する際においても、引用発明の「筒つき洗濯ネット」は、洗濯物に型崩れやしわを防止できることは明らかなことより、引用発明の「筒つき洗濯ネット」は、本願発明でいう「洗濯物を洗濯機で洗濯、脱水、乾燥する際に洗濯物に型崩れやしわが発生するのを防ぐため洗濯物を一定姿勢に保持する」ものといえる。
　よって、両者、
「洗濯物を洗濯機で洗濯、脱水、乾燥する際に洗濯物に型崩れやしわが発生するのを防ぐため洗濯物を一定姿勢に保持する洗濯物の型崩れ防止用洗濯補助具であって、
　洗濯物をその周囲に巻き付ける被巻付け具と、被巻付け具を覆うネットとから構成され、
　前記被巻付け具は合成樹脂、発泡ゴム、ウレタンの何れかを用いて円筒状に形成し、その側壁全面には小径の丸穴貫通孔が網目状に形成されている洗濯物の型崩れ防止用洗濯補助具。」
　である点で一致し、以下の各点で相違する。
　
　相違点１；本願発明では、被巻付け具は、肉厚の薄いものとされているのに対し、引用発明では、筒は、そのような特定がない点。
　
　相違点２；本願発明では、ネットは、洗濯物を巻き付けた被巻付け具全体を覆い、伸縮性の高い素材にて前記被巻付け具に巻き付けた洗濯物を被巻付け具に締めつけできる大きさの円筒状に形成し、円筒状両端部には開口部を開閉する口紐が取り付けてあるのに対し、引用発明では、ネットは、平面状であり、その素材は特定されていなく、洗濯物と一緒に型崩れしわ防止用洗濯補助具に巻きつけられるものである点。
　
５．判断
　上記各相違点について検討すると、
・相違点１について
　引用発明では、筒の肉厚については特定されていないものの、洗濯物を巻きつけた状態でその形状を維持したまま洗濯できる程度の強度を有するような肉厚があれば十分であり、コスト等を考慮してそのような強度を有する必要最小限の肉厚の筒を用いることは、当業者が適宜になす程度のことと認められ、また、本願発明においても具体的な肉厚が特定されているものでもない。
　よって、引用発明の筒を、肉厚の薄いものとし、上記相違点１の本願発明のようになすことは、当業者が容易になし得たものである。
　
・相違点２について
（ａ）引用例２には、内挿材を内挿した被洗濯衣類を覆って収容する洗濯ネットが記載され、引用例３には、支持体にブラジャーのカップの部分を装着し、その上からかぶせて締めつけるネットが記載され、いずれのネットも洗濯物が装着された支持体全体を覆うネットといえ、また、洗濯物をネットに収容して洗濯することは、ごく普通に行われていることであるので、引用発明において、平板状のネットに代えて洗濯物が装着された洗濯補助具全体を覆うネットを用いることは、当業者が容易になし得ることである。また、その際、ネットを収容される洗濯補助具の形状に合わせて円筒状に形成することは、当業者にとって当然の事項である。
（ｂ）引用例３には、さらにネットに伸縮性のものを使うことも記載されている（記載事項(３ｂ)参照）こと、また、引用発明においても洗濯中に洗濯物を洗濯補助具に安定的に固定しておくことが必要なことは当業者が容易に想到しうる事項であるので、引用発明において、ネットに伸縮性のものを使い、洗濯物を洗濯補助具に締めつけた状態に固定できるようになすことは、当業者が容易になし得ることである。
（ｃ）引用例４には、被洗濯物を袋内に出し入れし易くし、洗濯中に被洗濯物が脱離しないように、ネット（網）の両端部に開閉する口紐を取り付けることが記載されていること、また、引用発明においても袋状のネットを用いた場合には、開口部には開閉できるような何らかの手段を設ける必要があることは当然の事項であるので、引用発明において平板状のネットに代えて洗濯物が装着された洗濯補助具全体を覆うネットを用いる場合には、該ネットの開口部に開閉する口紐を取り付けることは、当業者が容易になし得ることである。
　以上（ａ）〜（ｃ）より、引用発明において、平面状のネットに代えて引用例２及び引用例３に記載されたような洗濯物が装着された洗濯補助具全体を覆うネットを採用し、該ネットに引用例３に記載されたような伸縮性のものを使い、また、該ネットを洗濯補助具の形状を考慮して円筒状に形成し、さらに、円筒状に形成されたネットの開口部に引用例４に記載されたような開閉する口紐を取り付けることにより、上記相違点２の本願発明のようになすことは、当業者が容易になし得たものである。
　そして、上記のように洗濯物が装着された洗濯補助具全体を覆うネットを採用することによる作用効果についても、格別なものとはいえない。
　
　したがって、本願発明は、引用発明及び引用文献２〜４に記載された発明に基づいて、当業者が容易に発明をすることができたものである。
　
６．むすび
　以上のとおり、本願発明は、特許法第２９条第２項の規定により特許を受けることができないものであるから、本願は、他の請求項に係る発明について検討するまでもなく、拒絶をすべきものである。
　よって、結論のとおり審決する。